(57)【要約】【課題】どのような種類のコンピュータにも、特別なソフトウェア等を必要とすることなく、シーケンシャル・アクセス方式の記録再生装置を接続する。【解決手段】記録再生装置に、ネットワークへの接続手段２６と、ファイル共有システムにおけるクライアントとして、接続手段２６で接続されたサーバー上のディスク装置をマウントし、記録媒体ｔｐ上のデータをディスク装置に取り込むことを指示する第１の情報をネットワーク経由で受信したことに基づき、記録媒体ｔｐから再生させたデータをファイルに変換してディスク装置に書き込み、ディスク装置内のファイルを記録媒体ｔｐに書き出すことを指示する第２の情報をネットワーク経由で受信したことに基づき、ディスク装置から読み出したファイルから変換したデータを記録媒体ｔｐに書き込ませる処理手段２３，２４とを備える。【選択図】図５
2007287236.tif 000002
【特許請求の範囲】
【請求項１】
シーケンシャル・アクセス方式の記録媒体に対してデータの記録及び再生を行う記録再生装置において、
ネットワークへの接続手段と、
ファイル共有システムにおけるクライアントとして、前記接続手段によって接続されたサーバー上のディスク装置をマウントする処理と、前記記録媒体上のデータを前記ディスク装置に取り込むことを指示する第１の情報をネットワーク経由で受信したことに基づき、前記記録媒体からデータを再生させ、再生されたデータをファイルに変換して前記ディスク装置に書き込む処理と、前記ディスク装置内のファイルを前記記録媒体に書き出すことを指示する第２の情報をネットワーク経由で受信したことに基づき、前記ディスク装置からファイルを読み出し、読み出したファイルから変換したデータを前記記録媒体に記録させる処理とを行う処理手段と
を備えたことを特徴とする記録再生装置。
【請求項２】
請求項１に記載の記録再生装置において、
前記記録媒体にビデオデータが記録され、
前記処理手段は、前記第１の情報を受信したことに基づき、前記記録媒体から再生されたビデオデータを、１フレーム分毎に１ファイルに変換して前記ディスク装置に書き込む
ことを特徴とする記録再生装置。
【請求項３】
請求項１に記載の記録再生装置において、
前記記録媒体にビデオデータが記録され、
前記処理手段は、
前記第１の情報として、ビデオデータの取り込み範囲をタイムコードで表す情報を受信したことに基づき、該指定された範囲のビデオデータを前記記録媒体から再生させ、
前記第２の情報として、ビデオデータの書き出しの先頭位置をタイムコードで表す情報を受信したことに基づき、該指定された位置から前記記録媒体にビデオデータを記録させる
ことを特徴とする記録再生装置。
【請求項４】
請求項１に記載の記録再生装置において、
前記記録媒体にビデオデータが記録され、
記録対象のビデオデータを圧縮する圧縮手段と、
前記記録媒体から読み出されたビデオデータを、前記圧縮手段によって圧縮される前のビデオデータに伸張する伸張手段とを含んでおり、
メインバッファメモリと、
前記メインバッファメモリよりも容量の小さいサブバッファメモリと
をさらに備えており、
前記処理手段は、
前記第１の情報を受信したことに基づき、前記記録媒体から読み出されたビデオデータを、前記メインバッファメモリでバッファリングしながら前記伸張手段に供給させ、前記伸張手段によって伸張されたビデオデータを、前記サブバッファメモリでバッファリングしながら前記ディスク装置に書き込ませ、
前記第２の情報を受信したことに基づき、前記ディスク装置から読み出したファイルを、前記サブバッファメモリでバッファリングしながら前記圧縮手段に供給させ、前記圧縮手段によって圧縮されたビデオデータを、前記メインバッファメモリでバッファリングしながら前記記録媒体に書き込ませる
ことを特徴とする記録再生装置。
【請求項５】
請求項１に記載の記録再生装置において、
前記処理手段は、前記第１の情報，前記第２の情報を送信するためのＷｅｂページを公開するＷｅｂサーバを立てる
ことを特徴とする記録再生装置。
【請求項６】
請求項１に記載の記録再生装置において、
前記記録再生系は、
前記Ｗｅｂページは、前記記録再生装置を操作するための釦と、前記記録再生装置で現在再生中の画像を表示するための表示窓とが表示されるページを含んでおり、
前記処理手段は、前記釦の操作に基づいて前記記録媒体に対するビデオデータの記録・再生を行わせ、現在再生中の画像を前記表示窓に表示する
ことを特徴とする記録再生装置。
【請求項７】
請求項１に記載の記録再生装置において、
前記記録再生装置は、ビデオテープレコーダである
ことを特徴とする記録再生装置。
【請求項８】
シーケンシャル・アクセス方式の記録媒体からデータを再生する再生装置において、
ネットワークへの接続手段と、
ファイル共有システムにおけるクライアントとして、前記接続手段によって接続されたサーバー上のディスク装置をマウントする処理と、前記記録媒体上のデータを前記ディスク装置に取り込むことを指示する情報をネットワーク経由で受信したことに基づき、前記記録媒体からデータを再生させ、再生されたデータをファイルに変換して前記ディスク装置に書き込む処理とを行う処理手段と
を備えたことを特徴とする再生装置。
【請求項９】
請求項８に記載の再生装置において、
前記再生装置は、映画フィルムに記録された映像を再生してビデオデータに変換するテレシネ装置であり、
前記処理手段は、前記ビデオデータをファイルに変換して前記ディスク装置に書き込む
ことを特徴とする再生装置。
【発明の詳細な説明】
【技術分野】
【０００１】
本発明は、シーケンシャル・アクセス方式の記録再生装置や再生装置に関し、特に、コンピュータに特別なアプリケーションソフトウェアやハードウェアを必要とすることなく、コンピュータに入出力デバイスの一つとして接続できるようにしたものに関する。
【背景技術】
【０００２】
ハイエンドなポストプロダクションでは、ノンリニア編集システムにおける素材の入力元や編集合成結果の出力／保存先としてＶＴＲ（ビデオテープレコーダ）のようなシーケンシャル・アクセス方式の記録再生装置を用いたいという要求や、素材の入力元としてテレシネ装置（フィルム映像をビデオデータに変換する装置）のようなシーケンシャル・アクセス方式の再生装置を用いたいという要求がある。そのためには、こうした記録再生装置や再生装置を、編集合成作業用のコンピュータ（パーソナル・コンピュータやワークステーション）に入出力デバイスの一つとして接続することが必要になる。
【０００３】
以下、シーケンシャル・アクセス方式の記録再生装置をコンピュータに接続するために既存技術を採用した場合について検証する。
【０００４】
（１）テープストリーマ
図１に示すように、ワークステーション１０１に、ＳＣＳＩケーブル１０２でＶＴＲ１０３を接続する。ワークステーション１０１は、ＳＣＳＩ規格のテープコマンドをサポートし、ＵＮＩＸ系ＯＳ（ＵＮＩＸは登録商標）の標準的機能であるｔａｒコマンド，ｍｔコマンド等（テープストリーマを制御してハードディスクのバックアップに用いるためのコマンド）により、ＶＴＲ１０３との間でビデオデータを授受する。
【０００５】
しかし、ノンリニア編集システムでは、様々な種類のコンピュータ（Ｗｉｎｄｏｗｓ（登録商標）をＯＳとするものや、Ｍａｃｉｎｔｏｓｈ等）が編集合成作業用のコンピュータとして使用される。そして、この方法では、ＵＮＩＸ系ＯＳ以外のＯＳのコンピュータを編集合成作業用のコンピュータとして使用するノンリニア編集システムでは、テープストリーマ制御用のコマンドをサポートするための特別なアプリケーションソフトウェアが必要になる。また、ＶＴＲの側でも、テープフォーマットを、テープストリーマ用に、ＢＯＴ（begin of tape）から始まるボリューム単位でデータを扱うフォーマットに変更することが必要になる。（もしテープフォーマットを変更しないとすると、外部からテープストリーマとして見えるような動作を行うためのプログラムを作成してＶＴＲ内のＣＰＵに実行させる必要が生じるが、これも困難である。）
【０００６】
（２）ＳＤＩ接続
図２に示すように、ワークステーション１１１にＳＤＩ（Serial Digital Interface）入出力ボード１１２を取り付けて、ＳＤＩでＶＴＲ１１３を接続する。ＶＴＲ１１３に対する制御はＤ−ｓｕｂ９ｐｉｎケーブル１１４等を介して行い、ＶＴＲ１１３との間でビデオデータの授受はＳＤＩによって行う。また、ビデオデータが高ビットレートである場合（例えば非圧縮のＨＤＴＶ信号である場合）には、高速な読み書きを保証するために、ワークステーション１１１にファイバチャンネル（Fibre Channel）１１５等でＲＡＩＤ（冗長性を持たせたディスク装置）１１６を接続して、ＶＴＲ１１３から送られるビデオデータをＲＡＩＤ１１６にストライピングして記録する。
【０００７】
しかし、この方法では、ＶＴＲ（さらにはＲＡＩＤ）を制御してビデオデータを授受するための特別なアプリケーションソフトウェアと、ＳＤＩ入出力ボードという特別なハードウェアとを搭載したワークステーションが必要になる。したがって、こうした特別なアプリケーションソフトウェアやハードウェアを搭載していない一般的なワークステーションやパーソナルコンピュータは、この方法ではＶＴＲの間でビデオデータ等を授受することができない。
【０００８】
（３）ｅ−ＶＴＲ
図３（ａ）に示すように、パーソナルコンピュータ１２１に、イーサネットスイッチ（イーサネット：Ethernetは登録商標）１２２をスイッチングハブとして、イーサネットでＶＴＲ１２３を接続する。ＶＴＲ１２３は、メモリタグ（記憶ラベル）１２４を貼り付けたビデオカセット１２５を用いる。メモリタグ１２４には、ビデオカセット１２５のビデオテープ上のビデオデータをファイルとして管理するためのファイル情報が記憶される（特許文献１，２参照）。パーソナルコンピュータ１２１は、このメモリタグ１２４内のファイル情報を読み取ってＶＴＲ１２３を制御するために、拡張ＦＴＰコマンドを使用する。そして、この拡張ＦＴＰコマンドでＶＴＲ１２３を制御して、ＶＴＲ１２３との間でビデオデータ等をファイルとして授受する。
【０００９】
しかし、この方法では、パーソナルコンピュータに、拡張ＦＴＰコマンドを使用するための特別なアプリケーションソフトウェアが必要になる。したがって、こうした特別なアプリケーションソフトウェアを搭載していない一般的なパーソナルコンピュータは、この方法ではＶＴＲの間でビデオデータ等を授受することができない。また、ＶＴＲの側でも、メモリタグを貼り付けた特別なビデオカセットを用いなければならず、一般的なビデオカセットを用いることができない。
【００１０】
【特許文献１】国際公開番号ＷＯ２００２／０８６８９５のパンフレット
【特許文献２】特開２００４−６４３６５号公報
【発明の開示】
【発明が解決しようとする課題】
【００１１】
このように、コンピュータにシーケンシャル・アクセス方式の記録再生装置や再生装置を接続するために既存技術を採用した場合には、記録再生装置や再生装置を制御するための特別なアプリケーションソフトウェアやハードウェアが必要になるという不都合や、記録再生装置の側でも記録フォーマットの変更（テープストリーマ用のテープフォーマットへの変更等）を行ったり特別な記録媒体（ファイル情報記憶用のメモリタグを貼り付けた特別なビデオカセット等）を用いなければならないという不都合等がある。
【００１２】
本発明は、上述の点に鑑み、どのような種類のコンピュータを使用する場合にも、特別なアプリケーションソフトウェアやハードウェアを必要とすることなく、シーケンシャル・アクセス方式の記録再生装置や再生装置を入出力デバイスの一つとして接続することができ、且つ、記録再生装置の側でも、記録フォーマットを変更したり特別な記録媒体を用いる必要をなくすことを課題とする。
【課題を解決するための手段】
【００１３】
上記課題を解決するために、本発明に係る記録再生装置は、シーケンシャル・アクセス方式の記録媒体に対してデータの記録及び再生を行う記録再生系を有する記録再生装置において、ネットワークへの接続手段と、ファイル共有システムにおけるクライアントとして、この接続手段によって接続されたサーバー上のディスク装置をマウントする処理と、この記録媒体上のデータをこのディスク装置に取り込むことを指示する第１の情報をネットワーク経由で受信したことに基づき、この記録媒体からデータを再生させ、再生されたデータをファイルに変換してこのディスク装置に書き込む処理と、このディスク装置内のファイルをこの記録媒体に書き出すことを指示する第２の情報をネットワーク経由で受信したことに基づき、このディスク装置からファイルを読み出し、読み出したファイルから変換したデータをこの記録媒体に記録させる処理とを行う処理手段とを備えたことを特徴とする。
【００１４】
この記録再生装置は、ファイル共有システムにおけるクライアントとして動作して、ネットワーク接続されたサーバー上のディスク装置をローカルディスクとしてマウントする。そして、記録再生装置内の記録媒体上のデータをこのディスク装置に取り込むことを指示する第１の情報をネットワーク経由で受信すると、この記録媒体からデータを再生し、再生したデータをファイルに変換してこのマウントしたディスク装置に書き込む。他方、このディスク装置内のファイルをこの記録媒体に書き出すことを指示する第２の情報をネットワーク経由で受信すると、このマウントしたディスク装置からファイルを読み出し、そのファイルから変換したデータを記録媒体に記録する。
【００１５】
したがって、この記録再生装置をコンピュータに接続した場合、コンピュータからはネットワーク経由でこの記録再生装置を指定してこの第１の情報や第２の情報を送信すれば足り、その後はこの記録再生装置がバックグランドで自動的にディスク装置への取り込みや記録媒体への書き出しを行う。
【００１６】
これにより、どのような種類のコンピュータを使用する場合にも、ネットワーク通信用やファイル共有用の一般的なアプリケーションソフトウェアさえ搭載していれば、特別なアプリケーションソフトウェアやハードウェアを必要とすることなく、シーケンシャル・アクセス方式の記録再生装置を入出力デバイスの一つとして接続することができる。また、記録再生装置の側でも、記録フォーマットの変更（テープストリーマ用のテープフォーマットへの変更等）を行ったり特別な記録媒体（ファイル情報記憶用のメモリタグを貼り付けた特別なビデオカセット等）を用いる必要はない。
【００１７】
次に、本発明に係る再生装置は、シーケンシャル・アクセス方式の記録媒体からデータを再生する再生系を有する再生装置において、ネットワークへの接続手段と、ファイル共有システムにおけるクライアントとして、この接続手段によって接続されたサーバー上のディスク装置をマウントする処理と、この記録媒体上のデータをこのディスク装置に取り込むことを指示する情報をネットワーク経由で受信したことに基づき、この記録媒体からデータを再生させ、再生されたデータをファイルに変換してこのディスク装置に書き込む処理とを行う処理手段とを備えたことを特徴とする。
【００１８】
この再生装置はファイル共有システムにおけるクライアントとして動作して、ネットワーク接続されたサーバー上のディスク装置をローカルディスクとしてマウントする。そして、再生装置内の記録媒体上のデータをこのディスク装置に取り込むことを指示する情報をネットワーク経由で受信すると、この記録媒体からデータを再生し、再生したデータをファイルに変換してこのマウントしたディスク装置に書き込む。
【００１９】
したがって、この再生装置をコンピュータに接続した場合、コンピュータからはネットワーク経由でこの再生装置を指定してこの情報を送信すれば足り、その後はこの再生装置がバックグランドで自動的にディスク装置への取り込みを行う。
【００２０】
これにより、どのような種類のコンピュータを使用する場合にも、ネットワーク通信用やファイル共有用の一般的なアプリケーションソフトウェアさえ搭載していれば、特別なアプリケーションソフトウェアやハードウェアを必要とすることなく、シーケンシャル・アクセス方式の再生装置を入力デバイスの一つとして接続することができる。
【発明の効果】
【００２１】
本発明に係る記録再生装置によれば、どのような種類のコンピュータを使用する場合にも、特別なアプリケーションソフトウェアやハードウェアを必要とすることなく、シーケンシャル・アクセス方式の記録再生装置を入出力デバイスの一つとして接続することができ、且つ、記録再生装置の側でも、記録フォーマットの変更（テープストリーマ用のテープフォーマットへの変更等）を行ったり特別な記録媒体（ファイル情報記憶用のメモリタグを貼り付けた特別なビデオカセット等）を用いる必要がなくなるという効果が得られる。
【００２２】
本発明に係る再生装置によれば、どのような種類のコンピュータを使用する場合にも、特別なアプリケーションソフトウェアやハードウェアを必要とすることなく、シーケンシャル・アクセス方式の再生装置を入力デバイスの一つとして接続することができるという効果が得られる。
【発明を実施するための最良の形態】
【００２３】
以下、本発明の実施の形態を図面を用いて説明する。図４は、本発明を適用したＶＴＲ１（ここでは２台のＶＴＲ１−１及び１−２）及びテレシネ装置２を接続したノンリニア編集システムの全体構成例を示す図である。このノンリニア編集システムでは、ＶＴＲ１−１及び１−２と、テレシネ装置２と、セントラルセントラルサーバー３と、ホストコンピュータ６（ここでは２台のホストコンピュータ６−１及び６−２）とが、ギガビットイーサネットスイッチ７（イーサネット：Ethernetは登録商標）をスイッチングハブとして、ギガビットイーサネットに接続されている。
【００２４】
セントラルサーバー３には、ファイバチャンネル（Fibre Channel）を用いたＳＡＮ（ストレージエリアネットワーク）４によってハードディスク装置５（ここでは２台のハードディスク装置）が接続されている。セントラルサーバー３は、ＵＮＩＸ系ＯＳ（ＵＮＩＸは登録商標）におけるファイル共有システムであるＮＦＳ（ネットワークファイルシステム）のＮＦＳサーバーとして動作して、ハードディスク装置５をエクスポートしている。
【００２５】
各ホストコンピュータ６は、編集合成作業用のコンピュータ（ワークステーションであってもよいし、Ｗｉｎｄｏｗｓ（登録商標）をＯＳとするパーソナルコンピュータであってもよいし、Ｍａｃｉｎｔｏｓｈであってもよい）であり、ＷｅｂブラウザやＮＦＳソフトウェア等の一般的なアプリケーションソフトウェアを搭載しているが、ＶＴＲやテレシネ装置を制御するための特別なアプリケーションソフトウェアやハードウェアは搭載していない。
【００２６】
各ＶＴＲ１及びテレシネ装置２は、代表的にＶＴＲ１−１について示したように、ネットインタフェース部１ｂによってギガビットイーサネットに接続されている。
【００２７】
図５は、ＶＴＲ１のハードウェア構成を示す図である。ＶＴＲ１には、ＶＴＲとしての本来の機能を果たす部分である記録再生部１ａと、ネットインタフェース部１ｂとが設けられている。ネットインタフェース部１ｂは、記録再生部１ａと一体になって同一の筐体内に収納されている（ただし、別の例として、ＶＴＲ１の筐体に外付けで取り付けるようにしてもよい）。
【００２８】
記録再生部１ａは、ＨＤ−ＳＤＩ（Serial Digital Interface）規格の入出力ポートを有している。このポートから入力したＨＤ−ＳＤＩ規格のシリアル・デジタルビデオデータ（ビットレートが１．４８５Ｇｂｐｓ）は、シリアル／パラレル変換回路１１でシリアル／パラレル変換され、ＢＲＲ（ビットレートリダクション）エンコーダ１２でビットレートを約２分の１（８００Ｍｂｐｓ程度）に圧縮され、ＥＣＣエンコーダ１３でエラー訂正符号を付加されて、イコライザ１４で周波数特性を補正された後、記録ヘッド（図示略）により、記録再生部１ａに装着されたビデオカセットのビデオテープｖｔに記録される。
【００２９】
また、ビデオテープｔｐから再生ヘッド（図示略）によって再生されたビデオデータは、イコライザ１４で周波数特性を補正され、ＥＣＣデコーダ１５でエラー訂正処理され、ＢＲＲデコーダ１６で元のビットレート（ＢＲＲエンコーダ１２によって圧縮される前の１．４８５Ｇｂｐｓ）に伸張され、パラレル／シリアル変換回路１７でパラレル／シリアル変換されて、前述のポートから出力される。システムコントローラ１８は、この記録再生部１ａ内の各部を制御する。
【００３０】
ネットインタフェース部１ｂには、フレームバッファ（メイン）２１と、フレームバッファ（サブ）２２と、メモリコントロール及びファイル・ビデオ変換部２３と、ＣＰＵ２４と、メインメモリ２５と、ギガビットイーサネットへの接続用のギガビットイーサネットコントローラ２６とが設けられている。
【００３１】
フレームバッファ（メイン）２１，フレームバッファ（サブ）２２は、それぞれ複数フレーム分の容量を有しているが、フレームバッファ（メイン）２１のほうがフレームバッファ（サブ）２２よりも容量が大きい。これらのフレームバッファ２１，２２は、後で図９及び図１０を用いて説明するように記録再生部１ａ内のＢＲＲエンコーダ１２やＥＣＣエンコーダ１３やＥＣＣデコーダ１５やＢＲＲデコーダ１６との間でビデオデータを授受するが、図５ではそれらの間の接続線は省略している（ＢＲＲエンコーダ１２，ＥＣＣエンコーダ１３，ＥＣＣデコーダ１５及びＢＲＲデコーダ１６の下側やフレームバッファ２１，２２の横側に短い矢印のみを付している）。
【００３２】
メモリコントロール及びファイル・ビデオ変換部２３は、ＦＰＧＡ（プログラミング可能なＬＳＩ）で構成されており、フレームバッファ２１，２２をコントロールする機能と、フレームバッファ２２から供給されるビデオデータを１フレーム分毎に１つの画像ファイルに変換し、イーサネットコントローラ２６を介して供給される画像ファイルを１ファイル毎に１フレーム分のビデオデータに変換する機能とを有している。
【００３３】
メインメモリ２５には、ＣＰＵ２４が実行するプログラムとして、ＮＦＳソフトウェアと、Ｗｅｂサーバーソフトウェアと、ネットインタフェース部１ｂ内の各部を制御するためのプログラムとが格納されている。ＣＰＵ２４は、ネットインタフェース部１ｂが起動すると、このＷｅｂサーバーソフトウェアによってＷｅｂサーバーを立てる。
【００３４】
このＷｅｂサーバーによって公開されるＷｅｂページには、次のようなものが存在する。
・ＶＴＲ１にハードディスク装置をローカルディスクとしてマウントする作業を行うための「ＤＩＳＫ  ＳＥＴＵＰ」のページ
・マウントしたハードディスク装置にビデオデータを取り込む作業を行うための「ＩＭＰＯＲＴ」のページ
・マウントしたハードディスク装置からビデオテープにビデオデータを書き出す作業を行うための「ＥＸＰＯＲＴ」のページ
【００３５】
図６は、「ＤＩＳＫ  ＳＥＴＵＰ」のページを示す。このページで、エクスポート済みのリモートディスクやマウントポジション等を選択して「ｍｏｕｎｔ」釦３１をクリックすると、ＣＰＵ２４（図５）は、メインメモリ２５内のＮＦＳソフトウェアにより、ＮＦＳクライアントとして動作して、エクスポート済みのハードディスク装置（ここでは図４のハードディスク装置５）をローカルディスクとしてマウントする。
【００３６】
図７は、「ＩＭＰＯＲＴ」のページを示す。このページの表示内容には、次のようなものが含まれている。
・マウントしたハードディスク装置内の画像ファイルを一覧表示して管理するための「Ｄｉｓｋ  Ｃｏｎｔｒｏｌ」パネル４１
・ハードディスク装置に取り込んだ画像ファイルの名称及び連番（前述のメモリコントロール及びファイル・ビデオ変換部２３（図５）の変換処理によって１フレーム＝１ファイルとなるので、１フレーム分ずつのファイルの通し番号）の先頭の数字を入力するための入力欄４２
・「ＶＴＲ１のセットアップ（画像サイズやフレームレートやタイムコード等の設定）を行うページを開くための「ＶＴＲ  ＳＥＴＵＰ」釦と、ＶＴＲ１を操作するための釦と、ＶＴＲ１で現在再生中のビデオデータのプロキシ画像を表示するための表示窓と、プロキシ画像のサイズ等の設定を行うページを開くための「ＰＲＯＸＹ  ＳＥＴＵＰ」釦とを有する「ＶＴＲ  Ｃｏｎｔｒｏｌ」パネル４３
・ハードディスク装置に取り込むビデオデータの範囲であるＩＮ点及びＯＵＴ点を、タイムコード値を入力するか、または「ＩＮ」，「ＯＵＴ」ボックスをクリックしてマークインすることによって指定するための範囲指定欄４４
・ハードディスク装置に取り込む画像ファイルとして、本編の画像ファイルとプロキシ画像のファイルとのいずれか一方または両方を選択するためのチェックボックス４５
・ハードディスク装置に取り込む画像ファイルのファイル形式やサイズ等を設定するための「ＦＩＬＥ  Ｓｅｔｕｐ」パネル４６
・ハードディスク装置へのビデオデータの取り込みを開始するための「ＩＭＰＯＲＴ  ＳＴＡＲＴ釦」４７
【００３７】
チェックボックス４５は、次のような目的で設けられている。本編の画像ファイルはサイズが大きいため、まずチェックボックス４５で「Ｐｒｏｘｙ」だけをチェックしてビデオテープ全長分のプロキシ画像のみをハードディスク装置に取り込み、次に、ハードディスク装置に取り込んだプロキシ画像を再生しながらＩＮ点及びＯＵＴ点を決め、そのＩＮ点及びＯＵＴ点を元に本編の画像ファイルの自動取り込みを行うという、オフライン用途で用いる。あるいは逆に、本編取り込み時のスピードを最大にするために、プロキシ画像の取り込みをオフにする。
【００３８】
「ＩＭＰＯＲＴ」のページの操作手順は、次の通りである。最初に、「Ｄｉｓｋ  Ｃｏｎｔｒｏｌ」パネル４１で、ハードディスク装置に取り込んだ画像ファイル（クリップ）を置くディレクトリを指定する。次に、入力欄４２で、取り込んだ画像ファイルの名称及び連番の数字を入力する。続いて、「ＶＴＲ  Ｃｏｎｔｒｏｌ」パネル４３でＶＴＲ１を操作してプロキシ画像を見ながら、ハードディスク装置に取り込む画像を決める。続いて、範囲指定欄４４で、ハードディスク装置に取り込むビデオデータのＩＮ点及びＯＵＴ点を指定する。そして、チェックボックス４５でチェックを行い、必要に応じて「ＦＩＬＥ  Ｓｅｔｕｐ」パネル４６で設定を行った後、「ＩＭＰＯＲＴ  ＳＴＡＲＴ釦」４７をクリックする。このようにして「ＩＭＰＯＲＴ  ＳＴＡＲＴ釦」４７がクリックされると、それまでの「ＩＭＰＯＲＴ」のページでの操作内容を表す情報が、ＷｅｂブラウザからＷｅｂサーバーに送信される。
【００３９】
図８は、「ＥＸＰＯＲＴ」のページを示す。このページの表示内容には、次のようなものが含まれている。
・「ＩＭＰＯＲＴ」の「Ｄｉｓｋ  Ｃｏｎｔｒｏｌ」パネル４１と同じ表示内容の「Ｄｉｓｋ  Ｃｏｎｔｒｏｌ」パネル５１
・「ＩＭＰＯＲＴ」の「ＶＴＲ  Ｃｏｎｔｒｏｌ」パネル４３と同じ表示内容の「ＶＴＲ  Ｃｏｎｔｒｏｌ」パネル５２
・ビデオテープへの書き出し開始位置であるＩＮ点を、タイムコード値を入力するか、または「ＩＮ」ボックスをクリックしてマークインすることによって指定するための開始位置指定欄５３ 
・ビデオテープに書き出すビデオデータのサイズ等を設定するための「ＶＩＤＥＯ  Ｓｅｔｕｐ」パネル５４
・ハードディスク装置からビデオテープへの書き出しを開始するための「ＥＸＰＯＲＴ  ＳＴＡＲＴ釦」５５
【００４０】
この「ＥＸＰＯＲＴ」のページの操作手順は、次の通りである。最初に、「Ｄｉｓｋ  Ｃｏｎｔｒｏｌ」パネル５１で、どこからどこまでの範囲のファイルをビデオテープに書き出したいかを決める（前述のメモリコントロール及びファイル・ビデオ変換部２３（図５）の変換処理によって１ファイル＝１フレームとなるので、同じファイル名の連番のＮ個のファイルを書き出すことを決めると、連続するＮフレーム分を書き出すことが決まる）。次に、「ＶＴＲ  Ｃｏｎｔｒｏｌ」パネル５２でＶＴＲ１を操作してプロキシ画像を見ながら、書き出し開始位置を決める。そして、開始位置指定欄５３でＩＮ点を指定し（「Ｄｉｓｋ  Ｃｏｎｔｒｏｌ」パネル５１でのファイルの範囲の決定によってフレーム数が決まるので、ＯＵＴ点は自動的に決まる）、必要に応じて「ＶＩＤＥＯ  Ｓｅｔｕｐ」パネル５４で設定を行った後、「ＥＸＰＯＲＴ  ＳＴＡＲＴ釦」５５をクリックする。このようにして「ＥＸＰＯＲＴ  ＳＴＡＲＴ釦」５５がクリックされると、それまでの「ＥＸＰＯＲＴ」のページでの操作内容を表す情報が、ＷｅｂブラウザからＷｅｂサーバーに送信される。
【００４１】
次に、図７の「ＩＭＰＯＲＴ」のページで「ＩＭＰＯＲＴ  ＳＴＡＲＴ釦」４７がクリックされたときのＶＴＲ１の動作と、図８の「ＥＸＰＯＲＴ」のページで「ＥＸＰＯＲＴ  ＳＴＡＲＴ釦」５５がクリックされたときのＶＴＲ１の動作とについて、図５を参照して説明する。
【００４２】
図７の「ＩＭＰＯＲＴ」のページで「ＩＭＰＯＲＴ  ＳＴＡＲＴ釦」４７がクリックされると、ネットインタフェース部１ｂ内のＣＰＵ２４は、記録再生部１ａ内のシステムコントローラ１８に、範囲指定欄４４（図７）で指定されたＩＮ点からＯＵＴ点までのビデオデータをビデオテープｖｔから再生させるコントロール信号を送る。
【００４３】
記録再生部１ａでは、このコントロール信号に基づいて、図９に示すように、指定されたＩＮ点からＯＵＴ点までビデオテープｖｔ上のビデオデータが再生される。そして、ＥＣＣデコーダ１５でエラー訂正されたビデオデータ（ＢＲＲデコーダ１６で伸張される前の圧縮ビデオデータ）が、フレームバッファ（メイン）２１でバッファリングされながらＢＲＲデコーダ１６に供給され、ＢＲＲデコーダ１６で元のビットレートに伸張された非圧縮ビデオデータが、フレームバッファ（サブ）２２でバッファリングされながらメモリコントロール及びファイル・ビデオ変換部２３に供給される。
【００４４】
ファイル・ビデオ変換部２３では、供給されるビデオデータが１フレーム分毎に１つの画像ファイルに変換される。ＣＰＵ２４は、これらの画像ファイルを、ＶＴＲ１にマウントしたハードディスク装置（ここでは図４のハードディスク装置５）のディレクトリのうち「Ｄｉｓｋ  Ｃｏｎｔｒｏｌ」パネル４１（図７）で指定されたディレクトリに、入力欄４２（図７）で入力された名称及び連番のファイルとして書き込む。
【００４５】
なお、ネットワークの帯域がＶＴＲ１側よりも狭いことによりフレームバッファ（メイン）２１やフレームバッファ（サブ）２２の空き領域が少なくなった（予め設定した閾値以下になった）場合には、ＣＰＵ２４は、ビデオテープｖｔの再生を中断させ、その後ハードディスク装置への取り込みが進んで十分な空き領域が確保されると、ビデオテープｖｔの再生を再開させる。
【００４６】
他方、図８の「ＥＸＰＯＲＴ」のページで「ＥＸＰＯＲＴ  ＳＴＡＲＴ釦」５５がクリックされると、ＣＰＵ２４は、システムコントローラ１１に、開始位置指定欄５３（図８）で指定されたＩＮ点からビデオテープｖｔへの記録を開始させるコントロール信号を送る。またＣＰＵ２４は、図１０に示すように、ＶＴＲ１にマウントしたハードディスク装置（ここでは図４のハードディスク装置５）から、「Ｄｉｓｋ  Ｃｏｎｔｒｏｌ」パネル５１（図８）で決められた範囲のファイルを読み込んで、メモリコントロール及びファイル・ビデオ変換部２３に供給する。
【００４７】
ファイル・ビデオ変換部２３では、供給されるファイルが１ファイル毎に１フレーム分のビデオデータに変換される。このビデオデータは、図１０に示すように、フレームバッファ（サブ）２２でバッファリングされながらＢＲＲエンコーダ１２に供給され、ＢＲＲエンコーダ１２で圧縮されたビデオデータは、フレームバッファ（メイン）２１でバッファリングされながらＥＣＣエンコーダ１３に供給される。そして、ＥＣＣエンコーダ１３でエラー訂正符号を付加されアＴビデオデータが、指定されたＩＮ点からビデオテープｖｔに記録される。
【００４８】
なお、ネットワークの帯域がＶＴＲ１側よりも狭いことによりフレームバッファ（メイン）２１やフレームバッファ（サブ）２２内のビデオデータの残量が少なくなった（予め設定した閾値以下になった）場合には、ＣＰＵ２４は、ビデオテープｖｔへの記録を中断させ、その後ハードディスク装置からの読み込みが進んで十分な量のビデオデータがフレームバッファ（メイン）２１やフレームバッファ（サブ）２２に蓄積されると、ビデオテープｖｔへの記録を再開させる。
【００４９】
次に、図４に示したテレシネ装置２の構成について説明する。図１１は、このテレシネ装置２のハードウェア構成を示す図である。テレシネ装置２には、テレシネ装置としての本来の機能を果たす部分であるフィルム／ビデオ変換部２ａと、ネットインタフェース部２ｂとが設けられている。ネットインタフェース部２ｂは、フィルム／ビデオ変換部２ａと一体になって同一の筐体内に収納されている（ただし、別の例として、テレシネ装置２の筐体に外付けで取り付けるようにしてもよい）。
【００５０】
フィルム／ビデオ変換部２ａでは、映写機６１によって再生される映画フィルムからの映像光が、ＣＣＤ等の撮像部６２により光電変換され、Ａ／Ｄ変換器６３によりアナログ／デジタル変換されて、映像信号処理部６４に供給される。映像信号処理部６４では、供給されたデジタル画像データが、ブランキング混合、黒クリップ、利得制御ペデスタル調整、シュージング補正、ガンマ補正等の処理を施された後、ＳＭＰＴＥ規格の高品位解像度のデジタルビデオデータに変換される。このデジタルビデオデータは、パラレル／シリアル変換回路６５でパラレル／シリアル変換されて、ＨＤ−ＳＤＩ規格の出力ポートから出力される。システムコントローラ６６は、このフィルム／ビデオ変換部２ａ内の各部を制御する。
【００５１】
ネットインタフェース部２ｂには、フレームバッファ７１と、メモリコントロール及びファイル・ビデオ変換部７２と、ＣＰＵ７３と、メインメモリ７４と、ギガビットイーサネットへの接続用のギガビットイーサネットコントローラ７５とが設けられている。
【００５２】
メモリコントロール及びファイル・ビデオ変換部７２は、ＦＰＧＡ（プログラミング可能なＬＳＩ）で構成されており、フレームバッファ７１をコントロールする機能と、フレームバッファ７１から供給されるビデオデータを１フレーム分毎に１つの画像ファイルに変換する機能とを有している。
【００５３】
メインメモリ７４には、ＣＰＵ７３が実行するプログラムとして、ＮＦＳソフトウェアと、Ｗｅｂサーバーソフトウェアと、ネットインタフェース部２ｂ内の各部を制御するためのプログラムとが格納されている。ＣＰＵ７３は、ネットインタフェース部２ｂが起動すると、このＷｅｂサーバーソフトウェアによってＷｅｂサーバーを立てる。
【００５４】
このＷｅｂサーバーでは、図示は省略するが、ＶＴＲ１について説明した「ＤＩＳＫ  ＳＥＴＵＰ」のページ（図６）及び「ＩＭＰＯＲＴ」のページ（図７）に相当するＷｅｂページが公開される。
【００５５】
このＷｅｂページで、ハードディスク装置のマウント操作（ＶＴＲ１についての「ＤＩＳＫ  ＳＥＴＵＰ」のページでの操作に相当）と、マウントしたハードディスク装置へのビデオデータの取り込み操作（ＶＴＲ１についての「ＩＭＰＯＲＴ」のページでの操作に相当）が行われると、ネットインタフェース部２ｂ内のＣＰＵ７３は、フィルム／ビデオ変換部２ａ内のシステムコントローラ６６に、指定されたＩＮ点からＯＵＴ点まで（ＩＮ点やＯＵＴ点は、例えば映画フィルムのコマ単位で指定する）の映像を映画フィルムから再生させるコントロール信号を送る。
【００５６】
フィルム／ビデオ変換部２ａでは、このコントロール信号に基づいて、図１２に示すように、指定されたＩＮ点からＯＵＴ点まで映画フィルムｃｆ上の映像が再生される。そして、映像信号処理部６４から出力されたＳＭＰＴＥ規格のデジタルビデオデータが、フレームバッファ７１でバッファリングされながらメモリコントロール及びファイル・ビデオ変換部７２に供給される。
【００５７】
ファイル・ビデオ変換部７２では、供給されるビデオデータが１フレーム分毎に１つの画像ファイルに変換される。ＣＰＵ７３は、これらの画像ファイルを、テレシネ装置２にマウントしたハードディスク装置（ここでは図４のハードディスク装置５）のディレクトリのうち、Ｗｅｂページの操作で指定（ＶＴＲ１についての図７の「Ｄｉｓｋ  Ｃｏｎｔｒｏｌ」パネル４１での指定に相当）されたディレクトリに、Ｗｅｂページで入力（ＶＴＲ１についての図７の入力欄４２への入力に相当）された名称及び連番のファイルとして書き込む。
【００５８】
なお、ネットワークの帯域がテレシネ装置２側よりも狭いことによりフレームバッファ７１の空き領域が少なくなった（予め設定した閾値以下になった）場合には、ＣＰＵ７３は、映画フィルムｃｆの再生を中断させ、その後ハードディスク装置への取り込みが進んで十分な空き領域が確保されると、映画フィルムｃｆの再生を再開させる。
【００５９】
次に、図４のノンリニア編集システムにおいて、各ホストコンピュータ６が、ＶＴＲ１を素材の入力元や編集合成結果の出力／保存先として用いたり、テレシネ装置２を素材の入力元として用いる様子について説明する。
【００６０】
ホストコンピュータ６で例えばＶＴＲ１−１を素材の入力元として用いる場合には、ＷｅｂブラウザでＶＴＲ１−１のＷｅｂページにアクセスして、図６の「ＤＩＳＫ  ＳＥＴＵＰ」のページでハードディスク装置５をローカルディスクとしてマウントさせる。
【００６１】
そして、図７の「ＩＭＰＯＲＴ」のページで前述のような操作手順を経れば、ＶＴＲ１から所望の範囲のビデオデータがハードディスク装置５に取り込まれる。
【００６２】
ＶＴＲ１−２やテレシネ装置２を素材の入力元として用いる場合にも、ＷｅｂブラウザでＶＴＲ１−２やテレシネ装置２のＷｅｂページにアクセスして同様の手順を経れば、ＶＴＲ１−２やテレシネ装置２から所望の範囲のビデオデータがハードディスク装置５にファイルとして取り込まれる。
【００６３】
こうしてハードディスク装置５に取り込まれたビデオデータは、ホストコンピュータ６でもハードディスク装置５をローカルディスクとしてマウントすることによって、編集・合成することができる。
【００６４】
そして、編集合成結果の出力／保存先として例えばＶＴＲ１−１を用いる場合には、ＷｅｂブラウザでＶＴＲ１−１のＷｅｂページにアクセスして、図８の「ＥＸＰＯＲＴ」のページで前述のような操作手順を経れば、編集合成結果がＶＴＲ１−１に書き出される。ＶＴＲ１−２を編集合成結果の出力／保存先として用いる場合にも、全く同様な手順を経れば、編集合成結果がＶＴＲ１−２に書き出される。
【００６５】
このように、ホストコンピュータ６からは、ＷｅｂブラウザでＶＴＲ１やテレシネ装置２のＷｅｂサーバーにアクセスして、そのＷｅｂページ上での操作内容を表す情報をＷｅｂサーバーに送信すれば足り、その後は、ＶＴＲ１がバックグランドで自動的にハードディスク装置５への取り込みやビデオテープへの書き出しを行い、テレシネ装置２もバックグランドで自動的にハードディスク装置５への取り込みを行う。
【００６６】
これにより、ワークステーション，Ｗｉｎｄｏｗｓ（登録商標）をＯＳとするパーソナルコンピュータ，Ｍａｃｉｎｔｏｓｈのうちのどの種類のコンピュータをホストコンピュータ６として使用する場合にも、ＶＴＲやテレシネ装置を制御するための特別なアプリケーションソフトウェアやハードウェアを必要とすることなく、ＶＴＲやテレシネ装置を入出力デバイスの一つとして接続して素材の入力元や編集合成結果の出力／保存先として用いることができる。また、例えばＶＴＲの側でも、テープフォーマットの変更（テープストリーマ用のテープフォーマットへの変更等）を行ったり特別なビデオカセット（ファイル情報記憶用のメモリタグを貼り付けた特別なビデオカセット等）を用いる必要はなく、一般的なＶＴＲ用のテープフォーマットや一般的なビデオカセットを用いることができる。
【００６７】
なお、図４のノンリニア編集システムは、セントラルサーバー３を中心に複数台のホストコンピュータ６と複数台のＶＴＲ１及びテレシネ装置２とが接続された形態をとっているが、１台のホストコンピュータ６と１台のＶＴＲ１またはテレシネ装置２のみとを接続する形態をとることも可能であり、どのような接続形態においても、ネットワーク帯域やコンピュータの能力等の条件に応じて、ＶＴＲやテレシネ装置を素材の入力元や編集合成結果の出力／保存先として用いることができる。図１３には、１台のホストコンピュータ６と１台のＶＴＲ１とを、ギガビットイーサネットスイッチ７をスイッチングハブとしてギガビットイーサネットに接続した例を示す。この図１３の接続形態では、ホストコンピュータ６が内蔵ハードディスク装置９をＮＦＳサーバーとしてエクスポートし、ＶＴＲ１がこのハードディスク装置９をマウントしてビデオデータを取り込む。
【００６８】
また、以上の例では、ＶＴＲ１のネットインタフェース部１ｂ内のメモリコントロール及びファイル・ビデオ変換部２３や、テレシネ装置２のネットインタフェース部２ｂ内のメモリコントロール及びファイル・ビデオ変換部７２は、ビデオデータを１フレーム分毎に１つの画像ファイルに変換している。しかし、別の例として、これらのメモリコントロール及びファイル・ビデオ変換部２３，７２が、ビデオデータを複数フレーム分毎に１つのムービーファイルに変換するようにしてもよい。
【００６９】
また、以上の例では、図９及び図１０に示したように、ＶＴＲ１のネットインタフェース部１ｂでは、フレームバッファ（メイン）２１には圧縮ビデオデータを蓄積し、フレームバッファ（サブ）２２には非圧縮ビデオデータを蓄積するようにしている。しかし、別の例として、これらのフレームバッファ２１及び２２を１つのフレームバッファとして扱い、ハードディスク装置への取り込み（ＩＭＰＯＲＴ）時には、ＢＲＲデコーダ１６からの非圧縮のビデオデータをフレームバッファ２１及び２２でバッファリングしながらメモリコントロール及びファイル・ビデオ変換部２３に供給し、ビデオテープへの書き出し（ＥＸＰＯＲＴ）時には、ファイル・ビデオ変換部２３からの非圧縮ビデオデータをフレームバッファ２１及び２２でバッファリングしながらＢＲＲエンコーダ１２に供給するようにしてもよい。但し、限られた容量のフレームバッファを効率的に使用するという見地からは、圧縮技術を用いる記録再生装置においては、図９及び図１０に示したように、フレームバッファ（メイン）２１に圧縮ビデオデータを蓄積するほうが望ましい。
【００７０】
また、以上の例では、ＮＦＳ（ネットワークファイルシステム）によってＶＴＲ１やテレシネ装置２にハードディスク装置をマウントさせているが、ＮＦＳ以外のファイル共有システム（例えばＳａｍｂａを用いたファイル共有システム）によってＶＴＲ１やテレシネ装置２にハードディスク装置をマウントさせてもよい。
【００７１】
また、以上の例ではＶＴＲ及びテレシネ装置に本発明を適用したが、本発明は、ＶＴＲ以外のシーケンシャル・アクセス方式の記録再生装置や、テレシネ装置以外のシーケンシャル・アクセス方式の再生装置にも同様にして適用することができる。
【図面の簡単な説明】
【００７２】
【図１】ＶＴＲをコンピュータに接続するために既存技術を採用した例を示す図である。
【図２】ＶＴＲをコンピュータに接続するために既存技術を採用した例を示す図である。
【図３】ＶＴＲをコンピュータに接続するために既存技術を採用した例を示す図である。
【図４】本発明を適用したＶＴＲ等を接続したノンリニア編集システムの全体構成例を示す図である。
【図５】図４のＶＴＲのハードウェア構成を示す図である。
【図６】図４のＶＴＲによって公開されるＷｅｂページを示す図である。
【図７】図４のＶＴＲによって公開されるＷｅｂページを示す図である。
【図８】図４のＶＴＲによって公開されるＷｅｂページを示す図である。
【図９】ハードディスク装置への取り込み時の図４のＶＴＲの動作を示す図である。
【図１０】ビデオテープへの書き出し時の図４のＶＴＲの動作を示す図である。
【図１１】図４のテレシネ装置のハードウェア構成を示す図である。
【図１２】ハードディスク装置への取り込み時の図４のテレシネ装置の動作を示す図である。
【図１３】本発明を適用したＶＴＲを接続したノンリニア編集システムの全体構成例を示す図である。
【符号の説明】
【００７３】
１−１，１−２  ＶＴＲ、  １ａ  記録再生部、  １ｂ  ネットインタフェース部、  ２  テレシネ装置、  ２ａ  フィルム／ビデオ変換部、  ２ｂ  ネットインタフェース部、  ３  サーバー、  ５  ハードディスク装置、  ６  ホストコンピュータ、  ２１  フレームバッファ（メイン）、  ２２  フレームバッファ（サブ）、  ２３  メモリコントロール及びファイル・ビデオ変換部、  ２４  ＣＰＵ、  ２６イーサネットコントローラ、  ７１  フレームバッファ、  ７２  メモリコントロール及びファイル・ビデオ変換部、  ７３  ＣＰＵ、  ７５  イーサネットコントローラ
【図１】
2007287236.tif 000003
【図２】
2007287236.tif 000004
【図３】
2007287236.tif 000005
【図４】
2007287236.tif 000006
【図５】
2007287236.tif 000007
【図６】
2007287236.tif 000008
【図７】
2007287236.tif 000009
【図８】
2007287236.tif 000010
【図９】
2007287236.tif 000011
【図１０】
2007287236.tif 000012
【図１１】
2007287236.tif 000013
【図１２】
2007287236.tif 000014
【図１３】
2007287236.tif 000015